(57)【要約】【課題】蒸発濃縮処理前に予め塩化物イオンや放射性核種を除去して洗濯廃液の十分な濃縮処理（高濃縮度処理）を可能とする洗濯廃液処理装置および洗濯廃液処理方法を提供する。【解決手段】原子力施設の管理区域で使用された作業用衣類を含む被洗濯物を、水のみを使用して洗浄する工程と、被洗濯物を水と洗剤とを使用して洗濯する洗濯工程とを実施する洗濯設備２と、洗濯設備２から排出された洗濯廃液の水分を蒸発させて濃縮する蒸発濃縮器６と、蒸発濃縮器６から蒸発し凝縮された復水中に含まれる不純物イオンを除去する第１脱塩塔１８と、洗濯設備２の洗浄工程から排出された洗浄水の少なくとも一部を分取し、その洗浄水中に含有される塩化物イオンおよび界面活性剤を除去する活性炭吸着塔２０および第２脱塩塔２１と、分取した洗浄水中に含有される放射性核種を除去する放射性核種吸着塔２２とを備えたことを特徴とする洗濯廃液処理装置である。【選択図】  図２
2015108591.tif 000002
【特許請求の範囲】
【請求項１】
原子力施設の管理区域で使用された作業用衣類を含む被洗濯物を、水のみを使用して洗浄する工程と、被洗濯物を水と洗剤とを使用して洗濯する洗濯工程とを実施する洗濯設備と、洗濯設備から排出された洗濯廃液の水分を蒸発させて濃縮する蒸発濃縮器と、
蒸発濃縮器から蒸発し凝縮された復水中に含まれる不純物イオンを除去する第１脱塩塔と、洗濯設備の洗浄工程から排出された洗浄水の少なくとも一部を分取し、その洗浄水中に含有される塩化物イオンおよび界面活性剤を除去する活性炭吸着塔および第２脱塩塔と、
分取した洗浄水中に含有される放射性核種を除去する放射性核種吸着塔と、
を備えたことを特徴とする洗濯廃液処理装置。
【請求項２】
前記水洗浄工程から排出された洗浄水に含有される、蒸発濃縮器の腐食に影響する塩化物イオンと被洗濯物から溶出する界面活性剤成分との両者を除去するため、前記活性炭吸着塔と前記第２脱塩塔とを直列に配置して洗浄水を処理し、これらに通水した後の処理水を、水洗浄工程に続く洗濯工程から排出された洗濯廃液と合体して蒸発濃縮器にて処理することを特徴とする請求項１記載の洗濯廃液処理装置。
【請求項３】
前記水洗浄工程から排出された洗浄水が塩化物イオン、界面活性剤に加えて放射性物質を含有する場合には、前記活性炭吸着塔および前記第２脱塩塔に通水した処理液をさらに放射性核種吸着塔に通水し、通水後の処理液を続いて洗濯工程から排出された洗濯廃液と合体して蒸発濃縮器にて濃縮処理を実行することを特徴とする請求項２記載の洗濯廃液処理装置。
【請求項４】
前記水洗浄工程から排出された洗浄水に含まれ、蒸発濃縮器の腐食に影響する塩化物イオンを除去するために、前記活性炭吸着塔と第２脱塩塔としての逆浸透膜装置とを直列に配置したことを特徴とする請求項２記載の洗濯廃液処理装置。
【請求項５】
前記水洗浄工程から排出された洗浄水に含まれ、蒸発濃縮器の腐食に影響する塩化物イオンを除去するために、前記活性炭吸着塔と第２脱塩塔としての電解装置とを直列に配置したことを特徴とする請求項２記載の洗濯廃液処理装置。
【請求項６】
前記水洗浄工程から排出された洗浄水に含まれ、蒸発濃縮器の腐食に影響する塩化物イオンを除去するために、前記活性炭吸着塔と第２脱塩塔としての電解装置とを直列に配置し、さらに電解装置の陽極室で生成する次亜塩素酸を腐敗抑制のために回収水に添加する殺菌剤供給装置を備えることを特徴とする請求項５記載の洗濯廃液処理装置。
【請求項７】
前記水洗浄工程から排出された洗浄水に含まれる塩化物イオン濃度、放射性核種濃度の両者を予め測定し、その各濃度に応じて活性炭吸着処理、脱塩処理および放射性核種吸着処理の各処理工程の選定組合せを自動的に実施する制御装置を設けたことを特徴とする請求項１記載の洗濯廃液処理装置。
【請求項８】
原子力施設の管理区域で使用された作業用衣類を含む被洗濯物を、水のみを使用して洗浄する洗浄工程と、被洗濯物を水と洗剤とを使用して洗濯する洗濯工程と、洗濯設備から排出された洗濯廃液の水分を蒸発させて濃縮する蒸発濃縮工程と、蒸発濃縮工程から蒸発し凝縮された復水中に含まれる不純物イオンを除去する第１脱塩処理工程と、上記洗浄工程から排出された洗浄水の少なくとも一部を分取し、その洗浄水中に含有される塩化物イオンおよび界面活性剤を除去する第２脱塩処理工程と、分取した洗浄水中に含有される放射性核種を除去する放射性核種吸着処理工程と、を備えることを特徴とする洗濯廃液処理方法。
【発明の詳細な説明】
【技術分野】
【０００１】
本発明は、洗濯廃液処理装置および洗濯廃液処理方法に係り、特に原子力発電所の洗濯設備に関連し、洗濯廃液処理装置の腐食抑制や放射性核種の高濃縮を抑制するため、洗濯廃液中の塩化物イオンや放射性核種などの不純物成分を高い効率で除去できる洗濯廃液処理装置および洗濯廃液処理方法に関する。
【背景技術】
【０００２】
原子力発電所においては、管理区域で着用された作業用衣類等は洗濯設備で洗濯され、洗濯廃液の放射性核種濃度等を測定して十分に濃度が低いことを確認した後に、環境へ放出するか、または回収して再使用されている。洗濯廃液の性状は、洗濯方法にもよるが、現在は一般家庭で実施されているように、洗濯用洗剤を用いた水洗による洗濯が一般的である。
【０００３】
上記洗濯廃液を環境へ放出するか、あるいは回収して再使用する場合、前述の放射性核種濃度の他、ｐＨ、懸濁固形分濃度（ＳＳ濃度）、有機物濃度の指標である化学的酸素要求量（ＣＯＤ：Ｃｈｅｍｉｃａｌ  Ｏｘｙｇｅｎ  Ｄｅｍａｎｄ）を放出あるいは回収基準値以下にする必要がある。また、洗濯廃液のｐＨに関しても一定の範囲内に制御調整する必要がある。
【０００４】
このために原子力発電所内には洗濯設備が装備されており、この洗濯設備は作業用衣類を洗濯する洗濯機と洗濯廃液処理装置とから構成されている。洗濯廃液処理装置は、主として廃液中に存在する放射性核種、懸濁固形分（ＳＳ分）およびＣＯＤを除去あるいは濃縮することを目的として設置されている。
【０００５】
洗濯廃液中に存在する放射性核種はクラッドと呼ばれる固形分に随伴しているものが大部分で、フィルタ（ろ過器）でろ過処理を実施することにより大部分を取り除くことができる。同様に、ＳＳ分についても、ろ過処理で除去することが可能である。一方、ＣＯＤ成分は洗剤として投入された界面活性剤を主体とし、その他、作業用衣類についた油脂類や人体からの皮脂成分などが含有される。
【０００６】
これらのＣＯＤ成分を除去するために、従来から種々の廃液処理装置および廃液処理方法が開発されてきた。ＣＯＤ成分は有機物であるため、活性炭に吸着して除去する方法（例えば特許文献１参照）や、過酸化水素などの酸化剤を添加してＣＯＤ成分を分解する方法（例えば特許文献２参照）、および低発泡性洗剤を使用することで洗濯廃液そのものを蒸発濃縮する方法などが開発されてきた。
【０００７】
本発明は、処理水を回収・再使用する場合に用いられている低発泡洗剤を用いた蒸発濃縮処理において、蒸発濃縮器の腐食抑制が可能であり、しかも濃縮液が過度の放射性核種濃度になることを抑制できる洗濯廃液処理装置および洗濯廃液処理方法を提供するものである。
【先行技術文献】
【特許文献】
【０００８】
【特許文献１】特開平０６−３３１７９２号公報
【特許文献２】特開平０７−０２７８９８号公報
【発明の概要】
【発明が解決しようとする課題】
【０００９】
蒸発濃縮処理は、放射性核種、ＳＳ分およびＣＯＤを含む洗濯廃液を蒸発濃縮器で濃縮するもので、全ての成分が液中に濃縮できるという優れた処理方法である。一方、被洗濯物である下着や靴下、手袋などは肌に直接触れているため、これらを洗濯することにより、人体から放出された汗成分も濃縮することになる。汗成分のうち塩化物イオン（Ｃｌ−）（ＮａＣｌとして排出）は蒸発濃縮器を腐食させるため、濃度上限値が定められている。通常は、濃縮液の塩化物イオン濃度が５，０００ｐｐｍになった時点で蒸発濃縮器から濃縮液が排出される。特に、発汗が多い夏場では洗濯廃液の塩化物イオン濃度が高くなり、十分に濃縮できないまま濃縮液の排出が行われており、廃棄物の増大に繋がるという第一の課題があった。
【００１０】
また、被洗濯物のうち、作業衣の最も外側は放射性物質との接触により汚染する場合があり、放射性核種が洗濯廃液に混入する場合がある。混入した放射性核種は蒸発濃縮器で濃縮され、排出される濃縮液の放射性核種濃度が過度に高くなる恐れがあるという第二の課題も生起されている。
【００１１】
さらに、蒸発濃縮後の回収水は不純物を含まないため再使用可能であるが、頻繁に洗濯を繰返す場合は良いが、洗濯の間隔が長い場合には溜め置いた回収水が腐敗する場合があるという第三の課題も提起されている。これは、蒸発濃縮後の回収水（蒸留水、復水）には、水道水のように消毒成分が含まれていないために、空気中の菌類が混入して繁殖するためである。
【００１２】
本発明は上述した課題を解決するためになされたものであり、蒸発濃縮処理前に予め塩化物イオンや放射性核種を除去して洗濯廃液の十分な濃縮処理（高濃縮度処理）を可能とする洗濯廃液処理装置および洗濯廃液処理方法を提供することを目的とする。
【課題を解決するための手段】
【００１３】
上記目的を達成するために、本発明に係る洗濯廃液処理装置は、原子力施設の管理区域で使用された作業用衣類を含む被洗濯物を、水のみを使用して洗浄する工程と被洗濯物を水と洗剤とを使用して洗濯する洗濯工程とを実施する洗濯設備と、洗濯設備から排出された洗濯廃液の水分を蒸発させて濃縮する蒸発濃縮器と、蒸発濃縮器から蒸発し凝縮された復水中に含まれる不純物イオンを除去する第１脱塩塔と、洗濯設備の洗浄工程から排出された洗浄水の少なくとも一部を分取し、その洗浄水中に含有される塩化物イオンおよび界面活性剤を除去する活性炭吸着塔および第２脱塩塔と、分取した洗浄水中に含有される放射性核種を除去する放射性核種吸着塔と、を備えたことを特徴とする。
【００１４】
また、本発明に係る洗濯廃液処理方法は、原子力施設の管理区域で使用された作業用衣類を含む被洗濯物を、水のみを使用して洗浄する洗浄工程と、被洗濯物を水と洗剤とを使用して洗濯する洗濯工程と、洗濯設備から排出された洗濯廃液の水分を蒸発させて濃縮する蒸発濃縮工程と、蒸発濃縮工程から蒸発し凝縮された復水中に含まれる不純物イオンを除去する第１脱塩処理工程と、上記洗浄工程から排出された洗浄水の少なくとも一部を分取し、その洗浄水中に含有される塩化物イオンおよび界面活性剤を除去する活性炭吸着処理工程および第２脱塩処理工程と、分取した洗浄水中に含有される放射性核種を除去する放射性核種吸着処理工程と、を備えることを特徴とする。
【発明の効果】
【００１５】
本発明に係る洗濯廃液処理装置および洗濯廃液処理方法によれば、放射性物質および作業員の発汗等で汚染された被洗濯物を、水のみを使用して洗浄する洗浄工程から排出された洗浄水の少なくとも一部を分取し、その洗浄水中に含有される塩化物イオンおよび界面活性剤、および放射性核種が蒸発濃縮処理前に予め除去されているために、蒸発濃縮器に対する腐食負荷が少なく、しかも洗濯廃液の十分な濃縮処理（高濃縮度処理）が可能となるという優れた作用効果が発揮される。
【図面の簡単な説明】
【００１６】
【図１】従来の洗濯廃液処理装置の構成を示す系統図。
【図２】本発明に係る洗濯廃液処理装置の一実施例の構成を示す系統図。
【図３】被洗濯物が作業員の下着である場合において、洗浄廃水（すすぎ水）および洗濯廃液の塩化物イオン濃度を示すグラフ。
【図４】洗浄水（すすぎ水）の活性炭吸着塔出口および第２脱塩塔出口における塩化物イオン濃度およびＣＯＤ（化学的酸素要求量）を示すグラフ。
【図５】洗濯設備（洗濯機）の運転モードを示す説明図。
【図６】洗濯廃液処理装置において、塩化物イオンを含むすすぎ水の排出工程を示す系統図。
【図７】洗濯廃液処理装置において、洗濯設備からの洗濯廃液の排出工程を示す系統図。
【図８】洗濯廃液処理装置において、洗浄水（すすぎ水）に塩化物イオンを含む場合の移送処理ルートを示す系統図。
【図９】洗濯廃液処理装置において、洗浄水（すすぎ水）に塩化物イオンおよび放射性核種の両者を含む場合の移送処理ルートを示す系統図。
【図１０】洗濯廃液処理装置において、洗浄水（すすぎ水）に塩化物イオンも放射性核種も含まない場合の移送処理ルートを示す系統図。
【図１１】洗濯廃液処理装置において、洗濯廃液の濃縮処理工程を示す系統図。
【図１２】洗濯廃液処理装置において、回収水を洗濯水としての再使用する場合の移送処理ルートを示す系統図。
【図１３】、洗浄水（すすぎ水）からの塩化物イオンの除去の有無と濃縮液排出のインターバルとの関係を示すグラフ。
【図１４】洗濯廃液処理装置において、第２脱塩塔として逆浸透膜装置を利用した場合の装置構成を示す系統図。
【図１５】洗濯廃液処理装置において、第２脱塩塔として電解装置を利用した場合の装置構成を示す系統図。
【図１６】電解装置の構造および処理液中で起こる反応を示す断面図。
【図１７】洗濯廃液処理装置において、洗浄水（すすぎ水）中の塩化物イオン濃度および放射性核種濃度を測定する測定装置をすすぎ水受タンクに設置した場合の装置構成を示す系統図。
【発明を実施するための形態】
【００１７】
以下、本発明に係る洗濯廃液処理装置およびその処理方法の実施例について、添付図面を参照して説明する。
【００１８】
まず本発明装置と従来装置とにおける差異を明確にするために、最初に図１を参照して従来装置について説明する。原子力発電所のような原子力施設において、使用済みの作業衣や下着、手袋、靴下などは種類別に収集され、同類のものを計量後、洗濯設備（洗濯機）２に投入される。この後、予め設定されたプログラム通りに水および蒸発濃縮用の低発泡性洗剤１が洗濯機に投入され洗濯が実施される。
【００１９】
上記洗濯の結果、排出される洗濯廃液は洗濯廃液配管３を経て、洗濯廃液収集タンク４に集められる。続いて、洗濯廃液は廃液ポンプ５によって蒸発濃縮器６に供給されて過熱器７で加温されて濃縮される。この濃縮された濃縮液８は蒸発濃縮器６から系外に排出される。そして、蒸発濃縮器６で発生した蒸発蒸気はデミスタ９を通過する際に、気相中に飛沫同伴された液体の粒子が捕捉される。このデミスタ９を通過した後、復水器１０で水に戻されて蒸留水受タンク１１に収集される。
【００２０】
復水器１０で凝縮した水は、しかる後に、蒸留水ポンプ１２を経て、強酸性陽イオン交換樹脂と強塩基性陰イオン交換樹脂とが混合された状態で充填された脱塩塔１３に通水されて不純物が除去された後に、回収水タンク１４に貯留される。貯留された回収水は、回収水ポンプ１５で移送され、回収水配管１６を通り再度洗濯機２で使用される。
【００２１】
特に作業者の下着に付着している塩化物イオンは洗濯廃液３にほぼ全量が移行して濃縮処理されるため、特に夏場など発汗の多い季節では蒸発濃縮器での濃縮液中の塩化物イオン濃度の増加が大きく、濃度上限値（Ｃｌ−：５，０００ｍｇ／Ｌ）に達する時間が短くなるという問題があった。
【００２２】
（実施例１）
上記課題を解決するために、本発明の一実施例に係る洗濯廃液処理装置は、図２に示すように、原子力施設の管理区域で使用された作業用衣類を含む被洗濯物を、水のみを使用して洗浄する工程と、被洗濯物を水と洗剤１とを使用して洗濯する洗濯工程とを実施する洗濯設備２と、洗濯設備２から排出された洗濯廃液の水分を蒸発させて濃縮する蒸発濃縮器６と、蒸発濃縮器６から蒸発し凝縮された復水中に含まれる不純物イオンを除去する第１脱塩塔１３と、洗濯設備２の洗浄工程から排出された洗浄水の少なくとも一部を分取し、その洗浄水中に含有される塩化物イオンおよび界面活性剤を除去する活性炭吸着塔２０および第２脱塩塔２１と、分取した洗浄水中に含有される放射性核種を除去する放射性核種吸着塔２２と、を備えて構成される。
【００２３】
また、前記水洗浄工程から排出された洗浄水（すすぎ水）に含有され、蒸発濃縮器の腐食に影響する塩化物イオンと被洗濯物から溶出する界面活性剤成分との両者を除去するため、前記活性炭吸着塔２０と前記第２脱塩塔２１とを直列に配置して洗浄水を処理し、これらに通水した後の処理水を、水洗浄工程に続く洗濯工程から排出された洗濯廃液と合体して蒸発濃縮器６にて処理するように構成される。
【００２４】
さらに、前記水洗浄工程から排出された洗浄水が塩化物イオン、界面活性剤に加えて放射性物質を含有する場合には、前記活性炭吸着塔２０および前記第２脱塩塔２１に通水した処理液をさらに放射性核種吸着塔２２に通水し、通水後の処理液を続いて洗濯工程から排出された洗濯廃液と合体して蒸発濃縮器６にて濃縮処理を実行するように構成しても良い。
【００２５】
図２に示す実施例１の処理装置と図１に示す従来の処理装置との相違点を以下に説明する。すなわち、従来装置との大きな相違点は、洗濯設備での洗濯モードの最初に水洗浄によるすすぎ工程を入れて、この時排出される洗浄水（すすぎ水）を受け入れるために、すすぎ水受タンク１８を配備したことである。さらに、すすぎ水受タンク１８に収集された廃液（すすぎ水）中に含まれる塩化物イオンを除去するために活性炭吸着塔２０と第２脱塩塔２１とを配備した。また、すすぎ水に含まれる放射性核種を除去するために放射性核種吸着塔２２を備えている。
【００２６】
作業員が着用していた使用済みの下着を対象として、最初に水のみによるすすぎ洗浄工程で排出された廃液（すすぎ水）の塩化物イオン濃度と、水すすぎ洗浄後に洗剤を投入して洗濯した結果として排出された洗濯廃液の塩化物イオン濃度とを測定すると図３に示す結果となった。
【００２７】
すなわち、すすぎ水中に含まれる塩化物濃度は９０〜１００ｐｐｍであり、洗濯廃液に含まれる塩化物イオン濃度は５〜１０ｐｐｍであるように、すすぎ水に含まれる塩化物濃度が高く、すすぎ水の塩化物イオンを除去すれば、蒸発濃縮器６へ供給した場合の塩化物イオン負荷が低減できる。
【００２８】
すすぎ水中に含まれる塩化物イオンの除去方法としては、硝酸銀を添加して難溶性の塩化銀沈殿を生成させて濾過操作によって沈殿物を回収する方法やビスマス系の無機イオン吸着剤で除去する方法などが考えられるが、前者の方法は試薬の価格が高くコスト的に適用が難しい問題がある。後者の吸着剤で除去する場合も吸着剤が微粉末であることから、フィルタで回収することが困難である。
【００２９】
最も一般的な方法として、強酸性陽イオン交換樹脂と強塩基性陰イオン交換樹脂との両者を混合して充填した第２脱塩塔２１が有効である。イオン交換樹脂は、塩化物イオンの吸着除去に対して性能面およびコスト面でも問題は少ない。第２脱塩塔２１の前段に活性炭吸着塔２０を装備した理由の一つは、すすぎ水中に含まれる微量のＳＳ分（懸濁固形分）を除去するためであり、他の理由は、すすぎ水中に含まれる微量の界面活性剤を吸着除去するためである。被洗濯物は着用と洗濯とを繰返すため、洗剤成分の一部が作業衣などに残留し、水洗浄を実施すると洗剤成分がすすぎ水に溶出するので、この洗剤成分を除去するためである。
【００３０】
ここで、塩化物イオンは強塩基性陰イオン交換樹脂で吸着除去される。しかしながら、強塩基性陰イオン交換樹脂は界面活性剤などの有機物も吸着し易い性質があるために、塩化物イオンの除去性が阻害されることを防止する目的で活性炭により予め界面活性剤などの有機物を吸着除去することが好ましい。
【００３１】
図４はすすぎ水に含まれる塩化物イオン濃度およびＣＯＤ（化学的酸素要求量）を、活性炭吸着塔出口および第２脱塩塔出口において測定した結果を示すグラフである。ＣＯＤは活性炭吸着塔にて効果的に除去できる。一方、塩化物イオンは、活性炭吸着塔での除去効果は少ないが、第２脱塩塔において効果的に除去できることが明白である。
【００３２】
以下に図５〜図１２を参照して、一連の洗濯廃水処理工程を説明する。図５は洗濯設備（洗濯機）２の洗濯工程の概略フローを示したものであり、第一に予め計量された作業衣などの被洗濯物が洗濯機に投入される。続いて水注入と洗濯ドラムの回転による水洗浄工程が予め設定された時間だけ実施される。
【００３３】
この後、被洗濯物は遠心脱水される一方、すすぎ水は図６に示すすすぎ水配管１７を経由してすすぎ水受タンク１８に排出される。水によるすすぎ工程が終了したならば、図５に示すように、洗濯設備２に洗剤１が注入され、汚れを落とすための洗濯が実行される。洗濯工程にも「すすぎ−遠心脱水工程」などがあり、これらの洗濯廃液は図７に示す洗濯廃液配管３を経由して洗濯廃液収集タンク４に排出される。これらの水洗浄および洗剤１による洗濯を終了した後に、洗濯物は洗濯設備２から取り出され乾燥機で乾燥される。
【００３４】
すすぎ水受タンク１８に収集された廃液（すすぎ水）は、衣類の種類、季節により塩化物イオンや放射性核種の濃度に高低差が出現するため、引き続き処理すべき工程が異なってくる。例えば、作業者の下着などのように、汗を吸収した衣類を洗濯した場合のように、すすぎ水の塩化物イオン濃度が高い一方で、放射性物質に汚染されていない場合は、図８に示すように、活性炭吸着塔２０と第２脱塩塔２１とを通水させて塩化物イオンを除去した後に、放射性核種吸着塔２２をバイパスさせて洗濯廃液収集タンク４に移送する。
【００３５】
また、廃液（すすぎ水）中の塩化物イオン濃度と放射性核種濃度とが双方とも高い場合には、図９に示すように、活性炭吸着塔２０および第２脱塩塔２１を通し、さらに放射性核種吸着塔２２に通水した後、洗濯廃液収集タンク４に移送する。
【００３６】
ここで上記放射性核種吸着塔２２に充填する吸着剤としては、ゼオライトやバーミキュライトのような無機イオン吸着体やフェロシアン化物のような合成吸着体などが選定できる。
【００３７】
すすぎ水が塩化物イオンや放射性物質を含有しないことが明白な場合は、図１０に示すように活性炭吸着塔２０、第２脱塩塔２１および放射性核種吸着塔２２を通さずに直接、洗濯廃液収集タンク４に移送する。
【００３８】
洗濯廃液収集タンク４に収集された洗濯廃液および処理済みすすぎ水は、図１１に示すように、廃液ポンプ５によって蒸発濃縮器６へ供給されて濃縮処理され、蒸気はデミスタ９を通り、復水器１０で水に戻されて蒸留水受タンク１１で収集される。
【００３９】
蒸留水受タンク１１に収集された蒸留水はアンモニアなどの揮発成分を除去するために、第１脱塩塔１３で処理した後、回収水タンク１４に回収される。回収水タンク１４に回収された回収水は、図１２に示すように、回収水ポンプ１５により移送され、回収水配管１６を通り洗濯設備２に還流されて、洗濯水として再利用される。
【００４０】
上記第１脱塩塔１３には、塩化物イオンの除去装置と同様に、強酸性陽イオン交換樹脂と強塩基性陰イオン交換樹脂との両者が混合した状態で充填されている。
【００４１】
図１３は、従来の処理装置のようにすすぎ水処理をせずに直接蒸発濃縮処理した場合と、本実施例のようにすすぎ水を分別収集（分取）し、塩化物イオンを除去した後、洗濯廃液と統合して蒸発濃縮処理した場合とにおいて、濃縮液の排出インターバルを比較したグラフである。すすぎ水処理を実施せずに直接蒸発濃縮した場合には、濃縮液の排出インターバルは４００時間程度であり、頻繁に排出操作をする必要がある。一方、本実施例のように、すすぎ水を分別収集して塩化物イオンを予め除去することにより、濃縮液の排出インターバルは約６倍の２，５００時間となり、廃棄物発生量も減少した。
【００４２】
（実施例２）
次に図１４を参照して実施例２を説明する。実施例２に係る洗濯廃液処理装置は、実施例１に係る洗濯廃液処理装置において、前記水洗浄工程から排出された洗浄水に含まれ、蒸発濃縮器の腐食に影響する塩化物イオンを除去するために、前記活性炭吸着塔と第２脱塩塔としての逆浸透膜装置とを直列に配置して構成される。
【００４３】
すなわち、先に示した実施例１の洗濯廃液処理装置と本実施例２に係る洗濯廃液処理装置との相違点は、実施例１において、すすぎ水に含まれる塩化物イオンを除去するために第２脱塩塔２１を用いていたところを逆浸透膜装置２１’に置き換えて構成されたものである。
【００４４】
上記逆浸透膜装置２１’は主として海水淡水化の用途で使用されている脱塩装置であり、被処理液中に含まれる塩化物イオンを９９％以上の除去率で除去することが可能である。イオン交換樹脂を用いた場合には吸着能力がなくなった時点で廃棄することになるが、逆浸透膜装置は長期間安定した運転が可能となる。
【００４５】
なお、前述の通り、すすぎ水には低濃度ながら界面活性剤が含まれているため、その悪影響を回避するために第２脱塩塔２１を使用した場合と同様に、前段に活性炭吸着塔２０を配備し、逆浸透膜装置２１’に通水する前に予め活性炭吸着塔２０で界面活性剤成分を除去しておくことが好ましい。すなわち、強塩基性陰イオン交換樹脂を使用した場合と同様に、逆浸透膜表面に有機物（この場合、界面活性剤）が吸着すると脱塩性能が低下するため、活性炭吸着塔２０は必要である。
【００４６】
（実施例３）
次に図１５を参照して実施例３を説明する。実施例３に係る洗濯廃液処理装置は、実施例１に係る洗濯廃液処理装置において、前記水洗浄工程から排出された洗浄水に含まれ、蒸発濃縮器の腐食に影響する塩化物イオンを除去するために、前記活性炭吸着塔と第２脱塩塔としての電解装置２１”とを直列に配置して構成される。さらに電解装置２１”の陽極室で生成する次亜塩素酸を腐敗抑制のために回収水に添加する殺菌剤供給装置２８を備えて構成されている。
【００４７】
本実施例３に係る洗濯廃液処理装置では、すすぎ水中の塩化物イオンを除去処理するために電解装置２１”を使用したことが大きな特徴である。このように、塩化物イオンを含有するすすぎ水を電解処理することにより、殺菌剤として利用することが可能な次亜塩素酸ナトリウムが得られる。
【００４８】
実施例２の逆浸透膜装置２１’を使用した場合と同様に、活性炭吸着塔２０の後段に電解装置２１”を配備し、電解装置２１”で生成された次亜塩素酸ナトリウムは、次亜塩素酸配管２５を経由して殺菌剤タンク２３に供給される。殺菌剤タンク２３に供給された次亜塩素酸ナトリウムは、殺菌剤移送ポンプ２４により移送され、回収水タンク１４内の回収水に添加されて殺菌効果を発揮し、回収水の腐敗を効果的に防止する。
【００４９】
図１６は電解装置２１”の内部構造と液中での反応を示す。陰イオン交換膜で隔てられた２室型の電解装置の陰極室に、活性炭吸着塔２０で処理された廃液（すすぎ水）が導入される。そして陰極表面での水の電気分解により陰極室の廃液はアルカリ性となり、廃液中の塩化物イオンは陰イオンのみを透過させる陰イオン交換膜を通過して陽極室に移動する。陽極室に移動した塩化物イオンの一部は塩素ガスとして気中に散逸するが、大部分は次亜塩素酸となり液中に存在する。
【００５０】
ここで電解装置２１”の陽極室に生成した次亜塩素酸は、殺菌剤タンク２３に移送され、さらに殺菌剤移送ポンプ２４により回収水へ注入される。上記注入された次亜塩素酸の殺菌効果によって、回収水の腐敗防止効果が達成される。上記次亜塩素酸は、もともと作業員の汗に含有されている塩化物イオンを殺菌剤として利用したものであるために、別途に殺菌剤の購入は不要となる。
【００５１】
（実施例４）
次に図１７を参照して実施例４を説明する。実施例４に係る洗濯廃液処理装置は、実施例１に係る洗濯廃液処理装置において、前記水洗浄工程から排出された洗浄水に含まれる塩化物イオン濃度、放射性核種濃度の両者を予め測定する塩化物イオン濃度および放射性核種濃度の測定装置２６を設け、測定された各濃度に応じて活性炭吸着処理、脱塩処理および放射性核種吸着処理の各処理工程の選定組合せを自動的に実施する制御装置を設けて構成される。
【００５２】
なお、実施例１〜４に係る洗濯廃液処理装置を構成する活性炭吸着塔２０、第２脱塩塔２１および放射性核種吸着塔２２の各処理装置には、各装置内に被処理液を導入する処理配管と被処理液がバイパスするバイパス配管とがそれぞれ設けられており、さらに図示は省略しているが、各処理配管およびバイパス配管には、その流量を制御する流量調整弁がそれぞれ介装されている。
【００５３】
上記実施例４に係る洗濯廃液処理装置において、すすぎ水に含まれる塩化物イオンと放射性核種濃度との両者の濃度が測定され、その濃度値に応じて制御装置が各バイパス配管と各処理配管とに介装された流量調整弁の開度を調整制御し、すすぎ水の処理工程を自動化したものである。
【００５４】
具体的には、すすぎ水受タンク１８に小ループをつくり、その小ループに塩化物イオン濃度および放射性核種濃度の測定装置２６が設置されている。例えば、塩化物イオン濃度が１０ｍｇ／Ｌ以下ならば活性炭吸着塔２０および第２脱塩塔２１での処理ルートを通さないように制御装置が各処理配管に介装された流量調整弁を閉止する。
【００５５】
一方、すすぎ水に含まれる放射性核種濃度が１Ｅ−４Ｂｑ／ｍｌ以下の場合には、放射性核種吸着塔への通水ルートにすすぎ水を通さないというロジックを予め設定することにより、各処理工程の選択が自動的に実施できるようになる。
【符号の説明】
【００５６】
１…洗剤、２…洗濯設備（洗濯機）、３…洗濯廃液配管、４…洗濯廃液収集タンク、５…洗濯廃液移送ポンプ、６…蒸発濃縮器、７…過熱器、８…濃縮液、９…デミスタ、１０…復水器、１１…蒸留水受タンク、１２…蒸留水移送ポンプ、１３…第１脱塩塔、１４…回収水タンク、１５…回収水移送ポンプ、１６…回収水配管、１７…すすぎ水配管、１８…すすぎ水受タンク、１９…すすぎ水移送ポンプ、２０…活性炭吸着塔、２１…第２脱塩塔、２１’…逆浸透膜装置、２１”…電解装置、２２…放射性核種吸着塔、２３…殺菌剤タンク、２４…殺菌剤移送ポンプ、２５…次亜塩素酸配管、２６…塩化物イオン濃度および放射性核種濃度の測定装置、２７…すすぎ水ポンプ、２８…殺菌剤供給装置。
【図１】
2015108591.tif 000003
【図２】
2015108591.tif 000004
【図３】
2015108591.tif 000005
【図４】
2015108591.tif 000006
【図５】
2015108591.tif 000007
【図６】
2015108591.tif 000008
【図７】
2015108591.tif 000009
【図８】
2015108591.tif 000010
【図９】
2015108591.tif 000011
【図１０】
2015108591.tif 000012
【図１１】
2015108591.tif 000013
【図１２】
2015108591.tif 000014
【図１３】
2015108591.tif 000015
【図１４】
2015108591.tif 000016
【図１５】
2015108591.tif 000017
【図１６】
2015108591.tif 000018
【図１７】
2015108591.tif 000019